(57)【要約】  【課題】取付対象物の曲面をなす端縁にエッジを取り付ける際に、エッジを安価に形成できるようにしつつ取付対象物とエッジとの離間を防ぐ。  【解決手段】曲面をなすとともに凹部１１ｘを有するエッジ取付面たる外側面１１ａを備えている取付対象物たる天板本体１１と、天板本体１１の外側面１１ａに添設すべきエッジ本体１２１及び前記凹部１１ｘに挿入可能な挿入凸部１２２を有するエッジ１２と、前記エッジ１２の挿入凸部１２２を前記凹部１１ｘの内方に引き込んでエッジ本体１２１を天板本体１１の外側面１１ａに圧接させる引込機構Ｐとを具備することを特徴とするエッジの取付構造を採用する。  【選択図】図７
2007139136.tif 000002
【特許請求の範囲】
【請求項１】
曲面をなすとともに凹部を有するエッジ取付面を備えている取付対象物と、エッジ取付面に添設すべきエッジ本体及び前記凹部に挿入可能な挿入凸部を有するエッジと、前記エッジの挿入凸部を前記凹部の内方に引き込んでエッジ本体をエッジ取付面に圧接させる引込機構とを具備することを特徴とするエッジの取付構造。
【請求項２】
前記引込機構が、前記挿入凸部に設けたテーパー面と、取付対象物に螺装させ前記テーパー面との間でテーパー作用を発揮させ前記挿入凸部を前記凹部の内方に引き込むためのテーパー部を先端に有するねじ部材とを具備することを特徴とする請求項１記載のエッジの取付構造。
【請求項３】
前記挿入凸部が、前記エッジ本体の内面側に設けてなり前記テーパー面を有する溝を長手方向に沿って設けている突条であることを特徴とする請求項２記載のエッジの取付構造。
【請求項４】
前記引込機構を前記エッジ取付面に沿って間欠的に設けていることを特徴とする請求項１、２又は３記載のエッジの取付構造。
【請求項５】
前記引込機構が、前記エッジの挿入凸部を前記凹部の内方に引き込むと同時に、前記挿入凸部を前記凹部の内面に圧接させる構成を有することを特徴とする請求項１、２、３又は４記載のエッジの取付構造。
【請求項６】
曲面をなすとともに凹部を有するエッジ取付面を備えている取付対象物たる天板と、エッジ取付面に添設すべきエッジ本体及び前記凹部に挿入可能な挿入凸部を有するエッジと、前記エッジの挿入凸部を前記凹部の内方に引き込んでエッジ本体をエッジ取付面に圧接させる引込機構とを具備するとともに、
前記天板の下面を受ける受け部及び前記天板のコーナー部を被覆し得る被覆部を有する脚と、前記天板のコーナー部と前記脚の被覆部とを互いに相寄る方向に引き寄せこれらを圧接する引寄手段とをさらに具備することを特徴とするエッジの取付構造。
【発明の詳細な説明】
【技術分野】
【０００１】
本発明は、取付対象物の曲面をなす端縁にエッジを取り付ける際のエッジの取付構造に関する。
【背景技術】
【０００２】
従来、家具等の端部の見栄えを整えるべく、家具等取付対象物にエッジを取り付けることが広く行われてきている。エッジの取付構造の一例として、例えば取付対象物のエッジ取付面、例えば家具の天板の端面に凹部を設けるとともに、エッジ取付面に添設すべきエッジ本体及び前記凹部に挿入可能な挿入凸部を有するエッジを備え、前記挿入凸部を前記凹部に圧入させてなるものが挙げられる。（例えば、特許文献１を参照。）
【特許文献１】特開平１１−１２７９６８号公報
【発明の開示】
【発明が解決しようとする課題】
【０００３】
しかして、特にエッジを金属等弾性係数の大きな部材で構成しているとともに押し出し成形等により直線状に成形している場合、上述した構成では、曲面状をなすエッジ取付面に取り付ける際には、エッジは弾性により元の直線状に戻ろうとし、前記挿入凸部と前記凹部との係合が外れてしまうとともに、エッジと取付対象物との間に隙間が生じてしまう不具合が発生し得る。
【０００４】
本実施形態は、エッジを押し出し成形等により直線状に成形してこのようなエッジの製造コストの低減を図りつつ、前段で述べた課題を解決すべく構成するものである。
【課題を解決するための手段】
【０００５】
すなわち本発明に係るエッジの取付構造は、曲面をなすとともに凹部を有するエッジ取付面を備えている取付対象物と、エッジ取付面に添設すべきエッジ本体及び前記凹部に挿入可能な挿入凸部を有するエッジと、前記エッジの挿入凸部を前記凹部の内方に引き込んでエッジ本体をエッジ取付面に圧接させる引込機構とを具備することを特徴とする。
【０００６】
このような構造を採用すれば、前記引込機構により前記エッジの挿入凸部を前記凹部の内方に引き込んでいるので、エッジを直線状に形成してエッジの製造コストの低下を図りつつ、エッジが弾性により直線状になろうとする動作を前記引込機構により規制でき、従って前記挿入凸部と前記凹部との係合が外れてしまう不具合、及びエッジと取付対象物との間に隙間が生じてしまう不具合の発生を防ぐことができる。
【０００７】
上述した構造を具体的に実現するための態様の一例として、前記引込機構が、前記挿入凸部に設けたテーパー面と、取付対象物に螺装させ前記テーパー面との間でテーパー作用を発揮させ前記挿入凸部を前記凹部の内方に引き込むためのテーパー部を先端に有するねじ部材とを具備するものが挙げられる。このようなものであれば、前記ねじ部材の螺進に伴い前記テーパー部と前記テーパー面との間で引き起こされるテーパー作用を利用し簡単な構成で前記引込機構を機能させることができる。
【０００８】
特に、前記挿入凸部が、前記エッジ本体の内面側に設けてなり前記テーパー面を有する溝を長手方向に沿って設けている突条であれば、このような挿入凸部を有するエッジを押し出し成形により容易かつ安価に製造できる。
【０００９】
また、少ない手間でこのような引込機構を実現できる構成として、前記引込機構を前記エッジ取付面に沿って間欠的に設けているものが挙げられる。
【００１０】
取付対象物の表面の見た目をさらに整えることができるようにするための態様として、前記引込機構が、前記エッジの挿入凸部を前記凹部の内方に引き込むと同時に、前記挿入凸部を前記凹部の内面に圧接させる構成を有するものが挙げられる。このような態様であれば、前記挿入凸部を前記凹部の内面に圧接させる際に、エッジ本体の端縁の位置決めを同時に行い、エッジ本体の端縁と取付対象物の表面とを面一にできるからである。
【００１１】
さらに、本発明に係る他のエッジの取付構造として、曲面をなすとともに凹部を有するエッジ取付面を備えている取付対象物たる天板と、エッジ取付面に添設すべきエッジ本体及び前記凹部に挿入可能な挿入凸部を有するエッジと、前記エッジの挿入凸部を前記凹部の内方に引き込んでエッジ本体をエッジ取付面に圧接させる引込機構とを具備するとともに、前記天板の下面を受ける受け部及び前記天板のコーナー部を被覆し得る被覆部を有する脚と、前記天板のコーナー部と前記脚の被覆部とを互いに相寄る方向に引き寄せこれらを圧接する引寄手段とをさらに具備することを特徴とするものが挙げられる。
【００１２】
このように構成すれば、前記引込機構により前記エッジの挿入凸部を前記凹部の内方に引き込んでいることによる上述した効果の他に、直線状のエッジを取付困難な部位である天板のコーナー部を脚の被覆部により略隙間無く被覆できるとともに、前記被覆部と、前記エッジ本体とを略面一にして天板の側面を全周にわたって被覆でき、外観を良好なものにできる効果も得ることができる。
【発明の効果】
【００１３】
本発明に係るエッジの取付構造によれば、引込機構によりエッジの挿入凸部を取り付け対象のエッジ取付面に設けた凹部の内方に引き込むことによって、エッジを直線状に形成してエッジの製造コストの低下を図りつつ、エッジが弾性により直線状になろうとする動作を前記引込機構により規制でき、従って前記挿入凸部と前記凹部との係合が外れてしまう不具合、及びエッジと取付対象物との間に隙間が生じてしまう不具合の発生を防ぐことができる。
【発明を実施するための最良の形態】
【００１４】
以下、本発明の一実施形態を、図面を参照して説明する。
【００１５】
本実施形態に係る家具であるテーブルＴは、全体斜視図である図１及び平面図である図２に示すように、天板１と天板１の四隅部の下方に設けてあり該天板１を支持する脚２とを具備する。
【００１６】
天板１は、その周縁を中央部が外部に向かって膨出する曲線状に形成している略矩形板状の部材である。また、この天板１は、曲面をなすとともに凹部１１ｘを有するエッジ取付面たる外側面１１ａを備えている取付対象物たる天板本体１１と、外側面１１ａに添設すべきエッジ本体１２１及び前記凹部１１ｘに挿入可能な挿入凸部１２２を有するエッジ１２とを具備する。前記エッジ１２は、本実施形態では前記天板本体１１の４辺のそれぞれに１本ずつ、計４本取り付けるようにしている。また、天板１の四隅部の側面は、本実施形態ではエッジ１２でなく後述するように脚２の一部である被覆部２２により被覆するようにしている。そして、これらエッジ１２及び被覆部２２の外面が面一となるように前記エッジ１２及び脚２を取り付けるようにしている。
【００１７】
さらに、前記天板本体１１は、前記図２に示すように、また、前記図２の要部拡大図である図３、要部の分解斜視図である図４にそれぞれ示すように、周縁部に配してなり外側面１１ａに凹部１１ｘを備える内エッジ１１１と、この内エッジ部材により区画される空間内に配してなるコア部材１１２と、これら内エッジ１１１及びコア部材１１２の上下両面に添設させてなる表面部材１１３とを具備する。前記内エッジ１１１は、長手寸法の全域にわたって図５に示すような断面形状を有するとともに予め凹部１１ｘを形成した状態のアルミ製棒状材を湾曲させて形成している。前記コア部材１１２は、本実施形態ではアルミ製ハニカム部材を利用して形成している。そして、前記表面部材１１３は、アルミ板を利用して形成している。すなわち、本実施形態ではこの天板本体１１の全体を金属により形成している。より具体的には、この天板本体１１の全体をアルミ製としている。
【００１８】
一方、前記エッジ１２は、長手寸法の全域にわたって図６に示すような同一の断面形状を有し、本実施形態では全体をアルミ押し出し成形により形成している。また、このエッジ１２を構成するエッジ本体１２１は、内エッジ１１１の４辺部の外側面の高さ寸法に略一致する高さ寸法を有し、細長い板状をなしている。一方、挿入凸部１２２は、前記凹部１１ｘの高さ寸法よりもやや小さな高さ寸法を有するとともに、その下面には断面視Ｖ字状をなし長手方向に延伸する溝１２ｍを形成している。そして、このエッジ１２は、天板本体１１に対する取付部位の断面図を図７に概略的に示すように、前記内エッジ１１１の凹部１１ｘに前記挿入凸部１２２を挿入し、前記エッジ本体１２１の内面を前記外側面１１ａに当接させた状態に取り付けるようにしている。
【００１９】
一方、脚２は、前記図４に示すように、また、図８の（ａ）に平面図、同図の（ｂ）に同図の（ａ）におけるＡ方向矢視図、同図の（ｃ）に同図の（ａ）におけるＢ方向矢視図である）をそれぞれ示すように、例えば金属素材から形成されたものであり、本実施形態ではアルミ押出成形材を適用している。この脚２は、略円筒状をなす脚本体２１と、脚本体２１の上端部から他の部位よりも上方に突出し且つ天板１のコーナー部１ｃを被覆し得る被覆部２２とを備えている。脚本体２１の上端部のうち、被覆部２２を設けていない部位は略フラット状をなし天板１の下面（本実施形態では下面部材１１４）を受ける受け部２３として機能する。また、この脚２は前記内エッジ１１１を足場とした脚取付部を介して天板１に脚２を取り付けるようにしている。
【００２０】
被覆部２２は、脚本体２１の横断面における全周の略４分の１に相当する部位に設けられ、上縁部にテーパ面２２ａを有するものである。この被覆部２２の高さ寸法を、天板１の厚み寸法に略一致させている。
【００２１】
また、脚本体２１の内部空間に、緊締シャフトＳが挿入可能な挿入部２４と、ナットＮを収容し得るナット収容部２５と、図示しないアジャスタを収容し得るアジャスタ収容部２６とを上端部から下端部に向かってこの順で設けている。これら挿入部２４、ナット収容部２５及びアジャスタ収容部２６の各軸心を脚本体２１の軸心に一致させており、さらに、挿入部２４、ナット収容部２５及びアジャスタ収容部２６は、脚本体２１の内面部から脚２の軸心に向かって延びる共通のリブ２７（本実施形態では一対のリブ２７）により脚本体２１に連結されている。
【００２２】
挿入部２４は略円筒状をなし、その内径を、緊締シャフトＳの外径よりも若干大きく設定し、当該挿入部２４に緊締シャフトＳを挿入した状態において挿入部２３の内周面と緊締シャフトＳの外周面との間に若干のクリアランスＸＳが生じるように設定している（後述する図９（ａ）等参照）。
【００２３】
ナット収容部２５及びアジャスタ収容部２６はそれぞれ挿入部２４の開口寸法よりも大きい開口寸法を有し、アジャスタ収容部２６の内面部には、図示しないアジャスタに設けた雄ねじ部が螺合可能な雌ねじ部を設けている。
【００２４】
そして、脚本体２１及び挿入部２４における前記被覆部２２に対向し得る部位に、後述する螺合体Ｄが螺合可能な第１雌ねじ部２８を設けている。なお、脚本体２１のうち、この第１雌ねじ部２８の形成部位に、他の部位よりも厚み寸法を大きく設定した厚肉部２１１を設け、この厚肉部２１１により第１雌ねじ部２８の形成領域、換言すれば螺合体Ｄの支持領域を有効に稼いでいる。この第１雌ねじ部２８を、脚本体２１及び挿入部２４の上端部近傍部位に設けている。
【００２５】
ナット収容部２５に収容されるナットＮは、通常のナットＮよりも背丈が高いいわゆる高ナットであり、概略六角筒状をなし、内周面に、緊締シャフトＳが螺合可能な雌ねじ部Ｎａと、所定の操作具による操作を受付可能な操作受付部Ｎｂとを設けている。本実施形態では、操作受付部Ｎｂとして、操作具たる六角レンチが嵌合可能な横断面視略六角形状のレンチ孔を適用している。
【００２６】
緊締シャフトＳは、図４等に示すように、概略円柱状をなし、上端部に後述する第２雌ねじ部１ｘに螺合可能な第１雄ねじ部Ｓ１を設けるとともに、下端部にナットＮの雌ねじ部Ｎａに螺合可能な第２雄ねじ部Ｓ２を設けたものである。
【００２７】
脚２の第１雌ねじ部２８に螺合可能な螺合体Ｄは、外周面に雄ねじ部を設けた軸部Ｄ１と、この軸部Ｄ１の一端に設けられ且つ略フラット状をなし且つ緊締シャフトＳを押圧し得る押圧部Ｄ２と、前記軸部Ｄ１の他端に設けられ所定の操作具による操作を受付可能な操作受付部とを備えたホーローセットを適用している。本実施形態では、操作受付部として、操作具たる六角レンチが嵌合可能な横断面視略六角形状のレンチ孔を適用している。
【００２８】
次に、このような脚２を天板１のコーナー部１ｃに取り付ける手順及び作用について図９（同図は、図３におけるＡ−Ａ線断面を模式的に示す図である）を参照しながら説明する。
【００２９】
先ず、脚２を天板１のコーナー部１ｃに取り付けるに際し、天板１のコーナー部１ｃ近傍に、天板１の下面側に開口し且つ緊締シャフトＳが螺着可能な第２雌ねじ部１ｘを予め形成しておく。本実施形態では、端部同士を衝き合わせてなる前記内エッジ１１１の端部間を跨ぐ位置にタッピング加工を施すことにより第２雌ねじ部１ｘを形成している。なお、前記内エッジ１１１の端部間を跨ぐ位置にナットを埋設することにより第２雄ねじ部１ｘを形成することを妨げない。
【００３０】
そして、天板１を天地逆にし、脚２の被覆部２２がコーナー部１ｃを被覆するように天板１に対する脚２の取付方向を決定した上で、脚２の挿入部２４に挿入した状態で第２雄ねじ部Ｓ２をナットＮの雌ねじ部Ｎａに螺着した緊締シャフトＳを、その第１雄ねじ部Ｓ２の上端部を前記第２雌ねじ部１ｘに仮締めする（同図（ａ）参照）。すなわち、前記内エッジ１１１に設けた前記第２雄ねじ部１ｘが、前記脚取付部の足場として機能する。この状態において、天板１のコーナー部１ｃと被覆部２２との間には若干の隙間が形成されている。
【００３１】
次いで、脚２に設けた第１雌ねじ部２８に、螺合体Ｄを螺着する。なお、第１雌ねじ部２８は、天板１下の下肢空間１ｓに向かってのみ開口するものであり、これにより、第１雌ねじ部２８がテーブルの通常使用時に視認し難いようにしている。螺合体Ｄは、その操作受付部に対して操作力が付与されると、経時的に、押圧部Ｄ２が緊締シャフトＳと当接し（同図（ｂ）参照）、さらに緊締シャフトＳを足場としてさらに締め付けることにより、押圧部Ｄ２が緊締シャフトＳを押圧し、当該締付力が、緊締シャフトＳと挿入部２４とのクリアランスＸＳの分だけコーナー部１ｃと被覆部２２とを相寄る方向に引き寄せる引寄力として作用し、コーナー部１ｃと被覆部２２とが隙間無く圧接する（同図（ｃ）参照）。すなわち、螺合体Ｄと、第１雌ねじ部２８と、緊締シャフトＳとにより、天板１のコーナー部１ｃと脚２の被覆部２２とを互いに相寄る方向に引き寄せる「引寄手段Ｘ」を構成している。
【００３２】
最後に、緊締シャフトＳを、その第１雄ねじ部Ｓ１を第１雌ねじ部２８に緊締して本締めすることにより、コーナー部１ｃと被覆部２２とを相互に圧接し且つ天板１のコーナー部１ｃに対する脚２の十分な取付強度を確保した状態で取り付けることができる（同図（ｄ）参照）。なお、第２雌ねじ部１ｘに対する緊締シャフトＳの螺合操作は、緊締シャフトＳの下端部に螺着したナットＮの操作受付部Ｎｂに対して所定の操作力（ナットＮを回転させる操作力）を付与することにより行う。
【００３３】
しかして本実施形態では、前記図４及び図７に示すように、曲面をなすとともに凹部１１ｘを有する前記外側面１１ａを備えている取付対象物たる天板本体１１と、前記外側面１１ａに添設すべきエッジ本体１２１及び前記凹部１１ｘに挿入可能な挿入凸部１２２を有するエッジ１２と、前記エッジ１２の挿入凸部１２２を前記凹部１１ｘの内方に引き込んでエッジ本体１２１を外側面１１ａに圧接させる引込機構Ｐとを具備することを特徴とするエッジの取付構造を採用している。なお、前記図７には、コア部材１１２及び表面部材１１３を想像線により示している。
【００３４】
前記引込機構Ｐは、前記図４に示すように、前記挿入凸部１２２に設けたテーパー面たる前記溝１２ｍの底面、すなわち溝底面１２ａと、天板本体１１の下面の周縁部に間欠的に設けた雌ねじ部１１ｙに螺装させ前記テーパー面すなわち前記溝底面１２ａとの間でテーパー作用を発揮させ前記挿入凸部１２２を前記凹部１１ｘの内方に引き込むためのテーパー部Ｂ１を先端に有するねじ部材Ｂとを具備する。すなわち本実施形態では、この引込機構Ｐを天板１の周縁部に間欠的に設けている。
【００３５】
さらに詳述すると、前記ねじ部材Ｂは、前記雌ねじ部１１ｙに螺着可能な軸部Ｂ２と、この軸部Ｂ２の一端に設けられ、略円錐状をなす前記テーパー部Ｂ１と、前記軸部Ｂ２の他端に設けられ、六角レンチを受け付け可能なレンチ受穴を有する操作受付部Ｂ３とを具備するホーローセットである。
【００３６】
この引込機構Ｐを利用したエッジ１２の天板本体１１への取付の手順を以下に示す。
【００３７】
まず、前記エッジ１２の挿入凸部１２２を前記天板１の凹部１１ｘに挿入する。しかる後に、前記ねじ部材Ｂを前記雌ねじ部１１ｙに螺着し、このねじ部材Ｂを前記凹部１１ｘの内部に向けて螺進させる。そして、前記ねじ部材Ｂの前記テーパー部Ｂ１を前記溝底面１２ａに当接させ、さらにこのねじ部材Ｂを螺進させ、前記挿入凸部１２２ごと前記エッジ１２を上方に押圧しつつ前記テーパー部Ｂ１と前記溝底面１２ａとの間にテーパー作用を引き起こさせて前記挿入凸部１２２を凹部１１ｘの内方に引き込む。
【００３８】
本実施形態では、以上に述べたように、曲面をなすとともに凹部１１ｘを有する外側面１１ａを備えている天板本体１１と、天板本体１１の外側面１１ａに添設すべきエッジ本体１２１及び前記凹部１１ｘに挿入可能な挿入凸部１２２を有するエッジ１２と、前記エッジ１２の挿入凸部１２２を前記凹部１１ｘの内方に引き込んでエッジ本体１２１を外側面１１ａに圧接させる引込機構Ｐとを具備するエッジ１２の天板本体に対する取付構造を採用しているので、以下の効果が得られる。すなわち、前記引込機構Ｐにより前記エッジ１２の挿入凸部１２２を前記凹部１１ｘの内方に引き込んでいるので、エッジ１２を直線状に形成してエッジ１２の製造コストの低下を図りつつ、エッジ１２が弾性により直線状になろうとする動作を前記引込機構Ｐにより規制でき、従ってこのような引込機構Ｐを設けない場合に発生しうる前記挿入凸部１２２と前記凹部１１ｘとの係合が外れてしまう不具合、及びエッジ１２と天板本体１１との間に隙間が生じてしまう不具合の発生を防ぐことができる。
【００３９】
また、前記引込機構Ｐが、前記挿入凸部１２２に設けたテーパー面たる溝底面１２ａと、天板本体１１に螺装させ前記溝底面１２ａとの間でテーパー作用を発揮させ前記挿入凸部１２２を前記凹部１１ｘの内方に引き込むためのテーパー部Ｂ１を先端に有するねじ部材Ｂとを具備するので、前記テーパー部Ｂ１と前記溝底面１２ａとをテーパー係合させて簡単な構成で前記引込機構Ｐを具体的に実現できるとともに、前記ねじ部材Ｂの螺進に伴い前記テーパー部Ｂ１と前記溝底面１２ａとの間で引き起こされるテーパー作用を利用し、簡単な操作で引込機構Ｐを機能させることができる。
【００４０】
特に、前記挿入凸部１２２が、前記エッジ本体１２１の内面側に設けてなり前記テーパー面たるＶ字状の溝底１２ａを有する溝１２ｍを長手方向に沿って設けている突条であるので、このような挿入凸部１２２を有するエッジ１２を押し出し成形により容易かつ安価に製造できる。
【００４１】
また、少ない手間でこのような引込機構を実現できる構成として、前記引込機構Ｐを前記エッジ取付面たる天板本体１１の外側面１１ａに沿って間欠的に設けているものが挙げられる。
【００４２】
さらに、前記天板本体１１及びエッジ１２の全体を金属により形成しているので、全体として薄い天板１において剛性を確保できるという金属製に一般的な効果を確保しつつ、このような天板の周縁部を曲面にした場合に金属製のエッジが弾性により直線状に戻ろうとする動作を前記引込機構により好適に防ぐことができる。
【００４３】
そして、前記引込機構Ｐが、ねじ部材Ｂの螺進に伴い前記エッジ１２の挿入凸部１２２を前記凹部１１ｘの内方に引き込むと同時に、前記挿入凸部１２２を前記凹部１１ｘの内面に圧接させるよう構成しているので、前記挿入凸部１２２を前記凹部１１ｘの内面に圧接させる際に、エッジ本体１２１の端縁の位置決めを同時に行い、エッジ本体１２１の端縁と天板１の表面とを面一にでき、従って天板１の表面の見た目をさらに整えることができる。
【００４４】
加えて、脚２に上述したような被覆部２２を設けているので、天板１のコーナー部１ｃに脚２を取り付けた状態において、半径が小さな円弧状をなし直線状のエッジ１２を取付困難な部位である天板１の各コーナー部１ｃをそれぞれ脚２の被覆部２２により略隙間無く被覆できるとともに、被覆部２２と、エッジ１２のエッジ本体１２１とを略面一にして天板１の側面を全周にわたって被覆でき、外観も良好なものとなる。
【００４５】
なお、本発明は以上に述べた実施形態に限られない。
【００４６】
例えば、テーブルや机の天板に限らず、空間の間仕切に用いる板状のパネルや、収納家具の収納空間内に用いる棚板等、曲面をなすエッジ取付面を有する部材にエッジを設ける場合全般に本発明を適用してもよい。
【００４７】
また、取付対象物やエッジは必ずしも全体を金属により形成する必要はなく、例えばコア部材をボール紙等により形成してもよく、また、エッジは弾性変形可能であれば素材は問わず、例えば金属製でなく樹脂製のものであってもよく、金属に樹脂によるコーティングを施したものであってももちろんよい。さらに、上述した実施形態では、取付対象物たる天板本体をアルミにより形成しているが、取付対象物の一部又は全部をアルミ以外の金属、例えばステンレス鋼等により形成してももちろんよい。
【００４８】
さらに、引込機構を構成するねじ部材は、操作受付部たる頭部を有する通常の雄ねじ部材であってももちろんよい。この場合、このボルトを螺装すべき雌ねじ孔には、頭部を収納すべき座繰り部を設けるとよい。また、ねじ部材にはテーパー部を設けなくても、挿入凸部側にテーパー面を形成し、ねじ部材の螺進に伴い前記テーパー面が前記凹部の内方に向けて押圧されるような構成を採用すれば、ねじ止め操作によりエッジの取り付け対象からの離脱を制限できる効果は得られる。さらに、頭部は、プラスドライバーを受付可能なものであってもマイナスドライバーを受付可能なものであってもよく、さらに、六角レンチを受付可能なものであってもよい。
【００４９】
加えて、上述した実施形態ではエッジが略矩形板状をなす取付対象物たる天板本体の１辺の略全体にわたる長さ寸法を有しているが、略矩形板状をなす取付対象物の１辺に複数のエッジを取り付けるようにしてももちろんよい。さらに、円板状や楕円板状等をなし、側面をエッジ取付面としている取付対象物や、図１０に示すように略矩形板状かつ各辺の両端縁Ｘ１１ｂが外方に膨出した曲線状の形状を有する取付対象物Ｘ１１のエッジ取付面たる側面Ｘ１１ａにエッジを取り付けるようにする際に、上述したようなエッジの取付構造を採用してももちろんよい。また、板状の取付対象物に限らず、曲面をなすとともに凹部を有するエッジ取付面を備えている取付対象物のエッジ取付面にエッジを取り付ける際のエッジの取付構造全般に本発明を適用してもよい。加えて、取付対象物が曲面をなすエッジ取付面と平面をなすエッジ取付面とを備えている場合、曲面をなすエッジ取付面にエッジを取り付ける際に本発明に係るエッジの取付構造を適用してももちろんよい。
【００５０】
その他、本発明の趣旨を逸脱しない範囲で種々変形が可能である。
【図面の簡単な説明】
【００５１】
【図１】本発明の一実施形態に係るテーブルを示す全体斜視図。
【図２】同実施形態に係るテーブルの平面図。
【図３】同実施形態に係るテーブルの隅部を拡大して示す平面図。
【図４】同実施形態に係るテーブルの要部分解斜視図。
【図５】同実施形態における内エッジを示す図。
【図６】同実施形態におけるエッジを示す図。
【図７】同実施形態におけるエッジの取付態様を概略的に示す図。
【図８】同実施形態に係る脚を示す図。
【図９】同実施形態に係る脚の取付構造の作用説明図。
【図１０】本発明の実施態様に係る取付対象物の平面図。
【符号の説明】
【００５２】
Ｔ…テーブル
１…天板
１１…天板本体（取付対象物）
１１ａ…外側面（エッジ取付面）
１１ｘ…凹部
１２…エッジ
１２１…エッジ本体
１２２…挿入凸部
１２ｍ…溝
１２ａ…溝底面（テーパー面）
Ｂ…ねじ部材
Ｂ１…テーパー部
Ｐ…引込機構
【図１】
2007139136.tif 000003
【図２】
2007139136.tif 000004
【図３】
2007139136.tif 000005
【図４】
2007139136.tif 000006
【図５】
2007139136.tif 000007
【図６】
2007139136.tif 000008
【図７】
2007139136.tif 000009
【図８】
2007139136.tif 000010
【図９】
2007139136.tif 000011
【図１０】
2007139136.tif 000012